(57)【要約】【課題】着信応答操作の後に通話開始へ移行する際の違和感を防ぎ、通信相手に対し呼出音の停止から通話開始へのスムーズな移行を促す通信端末装置を提供する。【解決手段】通信ネットワークを介して通信相手とのデータの送受信を行う通信インターフェース部110と、ユーザによる所定操作に応じた操作信号を出力するユーザインターフェース部120と、音声データを再生する音声再生部130と、着信時に前記音声再生部から着信音として再生される着信音声データを記憶するメモリ部140と、前記操作信号を受信すると、前記着信音の再生レベルを順次下げるとともに、前記着信音声データの音声出力レベルを順次下げた音声データを前記通信インターフェース部から前記通信相手に対して送信させる制御部150とを通信端末装置10に設けた。【選択図】  図１
2011082853.tif 000002
【特許請求の範囲】
【請求項１】
通信ネットワークを介して通信相手とのデータの送受信を行う通信インターフェース部と、
ユーザによる所定操作に応じた操作信号を出力するユーザインターフェース部と、
音声データを再生する音声再生部と、
着信時に前記音声再生部から着信音として再生される着信音声データを記憶するメモリ部と、
前記操作信号を受信すると、前記着信音の再生レベルを順次低下させるとともに、前記着信音声データの音声出力レベルを順次下げた音声データを前記通信インターフェース部から前記通信相手に対して送信させる制御部と
を備えることを特徴とする通信端末装置。
【請求項２】
請求項１に記載の通信端末装置において、
前記着信音の再生レベルの変動と、前記通信インターフェース部を介して前記通信相手へ送信する前記着信音声データの音声出力レベルの変動とは、同期していることを特徴とする通信端末装置。
【請求項３】
請求項１または２に記載の通信端末装置において、
前記操作信号は、前記通信相手からの呼出信号に対する通話応答操作および保留応答操作に対応したことを特徴とする通信端末装置。
【請求項４】
請求項１乃至３のいずれかに記載の通信端末装置において、
ユーザより発せられる音声に基づいて送話データを生成する受話部をさらに備え、
前記制御部は、前記着信音の再生レベルが所定のレベルになると、前記通信インターフェース部を介して前記通信相手へ送信するデータを、前記着信音声データから前記送話データへ切り替えることを特徴とする通信端末装置。
【請求項５】
通信ネットワークを介して通信相手とのデータの送受信を行う通信インターフェース部と、ユーザによる所定操作に応じた操作信号を出力するユーザインターフェース部と、音声データを再生する音声再生部と、着信時に前記音声再生部から着信音として出力される着信音声データを記憶するメモリ部と、ユーザより発せられる音声に基づいて送話データを生成する受話部とを備え、前記通信相手からの呼出信号を受信すると着信音を鳴動させ着信状態を通知する通信端末装置の着信音制御方法において、
前記通信相手からの呼出信号に対するユーザの所定操作に応じた操作信号を出力するステップと、
前記操作信号を受信すると前記着信音の再生レベルを順次下げるステップと、
受信した前記操作信号に基づいて、前記着信音声データの音声出力レベルを順次低下した音声データを前記通信相手へ送信するステップと、
前記着信音の再生レベルが所定のレベルになると、前記通信インターフェース部を介して前記通信相手へ送信する音声データを、前記着信音声データから前記送話データへ切り替えるステップと
を有することを特徴とする通信端末装置の着信音制御方法
【請求項６】
請求項５に記載の通信端末装置の着信音制御方法をコンピュータに実行させることを特徴とする通信端末装置の着信音制御プログラム。
【発明の詳細な説明】
【技術分野】
【０００１】
本発明は、通信端末装置、通信端末装置の着信音制御方法およびプログラムに関する。
【背景技術】
【０００２】
近年、電話通信機能を有する通信端末装置では、着信時にリンガー音等の一定周期の周波数による音声だけではなく、予め記憶されているメロディ音源を着信音として鳴動させ着信通知を行うことが主流となっている。
このような通信端末装置において、通話を開始する際に、着信側の通信端末装置では、鳴動中の着信音を着信応答の操作と同時に停止させて通話を開始し、一方、発信側の通信端末装置では、発信先（着信側）の呼び出し中、呼出音（ＲＢＴ：Ring Back Tone）を聴取し、着信側の通信端末装置による応答操作によってＲＢＴが停止され通話を開始する。
【０００３】
しかしながら、着信側の通信端末装置では、通話開始時に着信応答の操作と同時に着信音を突然停止させるため、着信側のユーザに対して不快感を与える場合がある。
例えば、近年の通信端末装置の音声帯域信号処理はデジタル信号処理が主流であり、デジタル信号である着信音声データの出力を突然停止させると、聴取される音声であるアナログ信号には急激な振幅変動が発生する場合があり、このようなアナログ信号がスピーカなどの音声出力装置から出力されると、不快な音声となる。または、メロディ音源を着信音として鳴動させている場合では、メロディ再生の唐突で不自然な中断が発生する。
【０００４】
すなわち、着信時における着信側の通信端末装置では、着信応答の操作と同時に着信音を突然停止させると、着信側端末装置の音声出力装置から不快音の発生や、メロディ再生の唐突な中断がなされる問題がある。
このような問題に対して、複数の音源データを着信音として再生する場合に各音源間の繋ぎ合わせ部分に発生する不自然感を解消させる技術（特許文献１）や、着信音の出力を停止する際に発生する不快音の発生を防ぐ技術（特許文献２）が提案されている。
【０００５】
特許文献１には、再生している音源データをフェードアウトさせるとともに次に再生する音源データをフェードインさせることにより、複数の音源データ間の繋ぎ合わせ部分に発生する不自然感を解消させるといった技術内容が記載されている。
特許文献２には、着信音の出力を停止する際に、着信音の出力ゲインを所定の時間間隔によって順次調整し、出力ゲインが最小値となった後に着信音の出力を停止させることにより不快音の発生を防ぐといった技術内容が記載されている。
【先行技術文献】
【特許文献】
【０００６】
【特許文献１】特開２００４−１７２６６８号公報
【特許文献２】特開平５−６８２８０号公報
【発明の概要】
【発明が解決しようとする課題】
【０００７】
一方、発信側の通信端末装置では、発信の後から着信側の通信端末装置による着信応答操作よって通話が開始されるまでの間、ＲＢＴを聴取し、着信側の通信端末装置による応答操作と同時にＲＢＴが停止されることから、発信側の通信端末装置の音声処理の方式によっては不快音を発生する場合があるとともに、ＲＢＴ停止から通話への移行時にユーザに対して違和感を与える場合がある。
【０００８】
しかしながら、特許文献１に開示されている技術は、複数の音源データ間の繋ぎ合わせ部分に発生する不自然感を解消させる技術であって、通話開始時に発生する着信音の不快音の防止を考慮した技術ではない。
また、音声特許文献２に開示されている技術は、着信側の通信端末装置の着信音をフェードアウトさせて着信側の通信端末装置から出力される不快音を低減させる技術であって、発信側の通信端末装置が聴取するＲＢＴの停止から通話への移行における違和感の低減に対して考慮された技術ではない。
【０００９】
すなわち、特許文献１および特許文献２の技術では、着信応答を実行した後に、着信音をフェードアウトさせるため、発信者側の通信端末装置では、聴取するＲＢＴが停止しているにも拘わらず、フェードアウトが完了するまで通話を開始できない（着信側からの音声が聞こえない）場合があり、通話相手との間に違和感を発生させてしまうといった問題がある。
【００１０】
本発明は、上述の問題を解決するためになされたものであり、着信応答操作の後に通話開始へ移行する際の違和感を防ぎ、通信相手に対し呼出音の停止から通話開始へのスムーズな移行を促す通信端末装置を提供することを目的とする。
【課題を解決するための手段】
【００１１】
上記目的を達成するために、本発明は、通信ネットワークを介して通信相手とのデータの送受信を行う通信インターフェース部と、ユーザによる所定操作に応じた操作信号を出力するユーザインターフェース部と、音声データを再生する音声再生部と、着信時に前記音声再生部から着信音として再生される着信音声データを記憶するメモリ部と、前記操作信号を受信すると、前記着信音の再生レベルを順次下げるとともに、前記着信音声データの音声出力レベルを順次下げた音声データを前記通信インターフェース部から前記通信相手に対して送信させる制御部とを通信端末装置に設けたことを特徴とする。
【発明の効果】
【００１２】
本発明によれば、通信相手からの呼出信号に応じたユーザの所定操作に基づいて、着信音の再生レベルを順次下げるとともに、出力音声レベルを順次低下した音声データを通信相手へ送信する。
よって、着信側の通信端末装置では、着信音の唐突な停止による不快音の発生や不自然な中断を防ぐことができ、また、発信側の通信端末装置に対しては、着信側の通信端末装置による着信応答操作がなされてから（ＲＢＴの停止から）通話が開始されるまでの間、出力音声レベルが順次低下させた音声データを視聴させることができる。
したがって、本発明の通信端末装置は、着信音鳴動を突然停止させることによる不快感を低減させるとともに、発信者に対して呼出音の停止から通話開始までの自然な移行を実現させることが可能となる。
【図面の簡単な説明】
【００１３】
【図１】本発明の第１の実施の形態にかかる通信端末装置の構成を示すブロック図である。
【図２】第１の実施の形態にかかる通信端末装置の動作を示すフローチャートである。
【図３】本発明の第２の実施の形態にかかる通信端末装置の構成を示すブロック図である。
【図４】第２の実施の形態にかかる通信端末装置の動作を示すフローチャートである。
【図５】本発明の第３の実施の形態にかかる通信端末装置の構成を示すブロック図である。
【図６】第３の実施の形態にかかる通信端末装置の着信音制御動作を示すフローチャートである。
【図７】第３の実施の形態にかかる通信端末装置において、着信音の再生レベルに基づいて通信相手へ送信するデータを切り替える着信音声制御動作により発信元の通信端末装置で聴取される音声の遷移を概念的に表す図である。
【図８】第３の実施の形態にかかる通信端末装置において、着信音の再生レベルの変動に応じて通信相手へ送信する音声データの出力レベルを変動させる着信音声制御動作により発信元の通信端末装置で聴取される音声の遷移を概念的に表す図である。
【発明を実施するための形態】
【００１４】
以下、図面を参照して本発明の実施の形態について詳細に説明する。
［第１の実施の形態］
本発明の第１の実施の形態にかかる通信端末装置は、通信相手からの呼出信号を受信すると、着信音を鳴動させ着信状態を通知するものである。
【００１５】
本実施の形態にかかる通信端末装置１０は、図１に示すように、通信ネットワークを介して通信相手とのデータの送受信を行う通信インターフェース部１１０と、ユーザによる所定操作に応じた操作信号を出力するユーザインターフェース部１２０、音声データを再生する音声再生部１３０と、着信時に音声再生部１３０から着信音として再生される着信音声データを記憶するメモリ部１４０と、通信端末装置１０の各機能を制御する制御部１５０とから構成されている。
【００１６】
ここで、制御部１５０は、ユーザインターフェース部１２０から出力される操作信号を受信すると、音声再生部１３０から再生される着信音の再生レベルを順次下げるとともに、メモリ部１４０に記憶されている着信音声データの音声出力レベルを順次下げた音声データを通信インターフェース部１１０から通信相手に対して送信させる。
【００１７】
なお、本実施の形態にかかる通信端末装置１０は、ＣＰＵ（中央演算装置）やメモリ、インターフェースからなるコンピュータにコンピュータプログラムをインストールすることによって実現され、上述した通信端末装置１０の各機能は、上記コンピュータの各種ハードウエア資源と上記コンピュータプログラム（ソフトウェア）とが協働することによって実現される。
【００１８】
次に、本実施の形態にかかる通信端末装置１０の動作について、図２に示すフローチャートを参照して説明する。
図２に示すように、通信端末装置１０によって通信相手からの呼出信号に応じた着信音鳴動により着信状態が通知され、この着信に対するユーザによる所定操作が行われると、ユーザインターフェース部１２０は、このユーザによる所定操作に応じた操作信号を制御部１５０に対して出力する（Ｓ１０１）。
【００１９】
制御部１５０は、ユーザインターフェース部１２０によって出力された操作信号を受信すると、音声再生部１３０から再生されている着信音の再生レベルを順次低下させる（Ｓ１０２）。引き続き、制御部１５０は、メモリ部１３０に記憶されている着信音声データの音声出力レベルを順次下げた音声データを、通信インターフェース部１１０から通信相手へ送信させる（Ｓ１０３）。
【００２０】
このように、本実施の形態にかかる通信端末装置によれば、通信相手からの呼出信号に応じたユーザの所定操作に基づいて、着信音の再生レベルを順次下げるとともに、音声出力レベルを順次低下した音声データを通信相手へ送信することによって、着信音の唐突な停止による不快音の発生や不自然な中断を防ぐことができ、また、発信側の通信端末装置に対しては、ユーザの所定操作による着信応答操作がなされてから（ＲＢＴの停止から）通話が開始されるまでの間、出力音声レベルが順次低下した所定の音声データを視聴させることができる。
したがって、本発明の通信端末装置は、着信音鳴動を突然停止させることによる不快感を低減させるとともに、発信者に対して呼出音の停止から通話開始までの自然な移行を実現させることが可能となる。
【００２１】
［第２の実施の形態］
本発明の第２の実施の形態にかかる通信端末装置は、着信状態を通知する着信音の再生レベルをユーザの所定操作に基づいて徐々に低下させフェードアウトさせるとともに、このフェードアウトを伴う着信音を通信相手に対して聴取させるものである。
なお、本実施の形態にかかる通信端末装置の構成要素のうち、第１の実施の形態において説明した通信端末装置１０の構成要素と同一の構成および機能を有するものには、同一の符号を付し、詳細な説明は省略する。
【００２２】
本実施の形態にかかる通信端末装置２０は、図３に示すように、通信ネットワークＡを介して通信相手である通信端末装置Ｂの間でデータの送受信を行う通信インターフェース部１１０と、ユーザインターフェース部２２０と、音声出力部２３０と、各種音声データを記憶するメモリ部１４０と、制御部２５０とから構成されている。
【００２３】
ユーザインターフェース部２２０は、例えば、ＣＰＵ（中央演算処理装置）やキーマトリクス処理ＩＣなどから構成され、ユーザによる操作キー２２１の所定操作に対応した操作信号を制御部２５０へ出力する。具体的には、ユーザインターフェース部２２０は、着信時に通話応答する際、ユーザによる操作キー２２１のキー操作に対応した操作信号を「通話応答操作信号」として制御部２５０に対して出力する。
【００２４】
音声出力部２３０は、音声データをスピーカ２３１から音声出力させることにより再生する。例えば、音声出力部２３０は、デジタル信号である音声データを復調し、設定された再生レベルでスピーカ２３１から音声出力させる。また、音声データの再生レベルは、制御部２５０からの制御信号によって設定される。
【００２５】
制御部２５０は、ユーザインターフェース部２２０から出力される操作信号を判定し、判定結果が通信相手（通信端末装置Ｂ）からの呼出信号に対する通話応答操作および保留応答操作に対応する操作信号であったならば、着信音の再生レベルを順次下げて着信音鳴動をフェードアウトさせる。
また、制御部２５０は、着信鳴動をフェードアウトさせるとともに、メモリ部１４０に記憶されている着信音声データの音声出力レベルを着信音の再生レベルの低下と同期させて低下させ、この着信音声データを通信インターフェース部１１０から通信相手（通信端末装置Ｂ）に対して送信させる。
【００２６】
具体的に説明すると、着信時にユーザによって通話応答または保留応答操作がなされると、制御部２５０は、着信音として再生されている着信音声データを通信インターフェース部１１０から通信相手（通信端末装置Ｂ）に対して送信させるとともに、この着信音声データの音声出力レベルを順次下げることにより、通信相手（通信端末装置Ｂ）に対して送信された音声データの音声出力レベルの変動と着信音の再生レベルの変動とを同期させることができる。
すなわち、スピーカ２３１から音声出力される着信音と通信相手（通信端末装置Ｂ）によって聴取される受話音声とは同一の音声データであり、制御部２５０によって音声出力レベルの変動制御がなされた音声データである。したがって、通信相手（通信端末装置Ｂ）において聴取される受話音の音声出力レベルの変動とスピーカ２３１から音声出力される着信音の音声出力レベルの変動とは一致している。
よって、制御部２５０は、受信側である通信端末装置２０と発信側である通信端末装置Ｂとの双方で聴取される音声データの音声出力レベルの変動を同期させることができる。
【００２７】
なお、本実施の形態にかかる通信端末装置２０は、ＣＰＵ（中央演算装置）やメモリ、インターフェースからなるコンピュータにコンピュータプログラムをインストールすることによって実現され、上述した通信端末装置２０の各機能は、上記コンピュータの各種ハードウエア資源と上記コンピュータプログラム（ソフトウェア）とが協働することによって実現される。
【００２８】
次に、本実施の形態にかかる通信端末装置２０の着信音制御動作について、図４に示すフローチャートを参照して説明する。
図４に示すように、通信端末装置２０によって通信相手（通信端末装置Ｂ）からの呼出信号に応じた着信音鳴動により着信状態が通知され、この着信に対するユーザによる操作キー２２１の入力操作が行われると、ユーザインターフェース部２２０は、この入力操作に応じた操作信号を制御部２５０に対して出力する（Ｓ２０１）。
【００２９】
制御部２５０は、ユーザインターフェース部２２０によって出力された操作信号が、呼出信号に対して通話応答操作または応答保留操作のいずれかであるか否かを判定する（Ｓ２０２）。
操作信号が通話応答操作または応答保留操作のいずれかであった場合（Ｓ２０２で「YES」）、制御部２５０は、音声再生部２３０によって着信音としてスピーカ２３１から音声出力されることにより再生されている着信音声データを、通信インターフェース部１１０から通信相手（通信端末装置Ｂ）に対して送信させる（Ｓ２０３）。
【００３０】
引き続き、制御部２５０は、着信時に音声再生部２３０から着信音として再生される着信音声データの音声出力レベルを順次下げることにより、着信音鳴動をフェードアウトさせる（Ｓ２０４）。すなわち、通信インターフェース部１１０によって通信相手（通信端末装置Ｂ）に対して送信された音声データの音声出力レベルの変動と、スピーカ２３１から再生される着信音の再生レベルの変動とを同期させる。
着信音鳴動のフェードアウトが完了すると、制御部２５０は着信音制御動作を終了する（Ｓ２０５）。
【００３１】
一方、ユーザインターフェース２２０から出力された操作信号が通話応答操作または応答保留操作のいずれでもなかった場合（Ｓ２０２で「NO」）、呼出信号に対して応答動作を行わないため、制御部２５０は所定の終話処理動作とともに、着信音声データの音声出力レベルを順次下げることにより、着信音鳴動をフェードアウトさせ、着信音鳴動のフェードアウトが完了すると、着信音制御動作を終了する。
【００３２】
このように、本実施の形態にかかる通信端末装置によれば、通信相手からの呼出信号に応じたユーザによる応答動作に基づいて、着信音の再生レベルと通信相手に対して送信した音声データの音声出力レベルとを同期させながら順次低下させることによって、発信側の通信端末装置に対し、着信側の通信端末装置での着信音鳴動と同期した音声データを視聴させることができる。
したがって、本発明の通信端末装置は、着信音鳴動を突然停止させることによる不快感を低減させるとともに、発信者に対して呼出音の停止から通話開始までの自然な移行を実現させることが可能となる。
【００３３】
［第３の実施の形態］
本発明の第３の実施の形態にかかる通信端末装置は、通信相手に対して送信する音声データについて、着信音の再生レベルに基づいて切り替えるものである。
なお、本実施の形態にかかる通信端末装置の構成要素のうち、第２の実施の形態において説明した通信端末装置２０の構成要素と同一の構成および機能を有するものには、同一の符号を付し、詳細な説明は省略する。
【００３４】
本実施の形態にかかる通信端末装置３０は、図５に示すように、通信インターフェース部１１０と、ユーザインターフェース部２２０と、音声出力部２３０と、メモリ部１４０と、制御部３５０と、受話部３６０とから構成されている。
【００３５】
制御部３５０は、着信時に音声出力部２３０から着信音として再生される着信音声出力データの音声出力レベル、すなわちスピーカ２３１から出力される着信音の再生レベルが所定のレベルになると、通信インターフェース部１１０を介して通信相手（通信端末装置Ｂ）へ送信する音声データを、着信音声出力データから受話部３６０によって生成される送話データへ切り替える。
送話部３６０は、ユーザより発せられる音声を感知するマイク２６１から出力される音声データに基づいて送話データを生成する。
【００３６】
なお、本実施の形態にかかる通信端末装置３０は、ＣＰＵ（中央演算装置）やメモリ、インターフェースからなるコンピュータにコンピュータプログラムをインストールすることによって実現され、上述した通信端末装置３０の各機能は、上記コンピュータの各種ハードウエア資源と上記コンピュータプログラム（ソフトウェア）とが協働することによって実現される。
【００３７】
次に、本実施の形態にかかる通信端末装置３０の動作について、図６に示すフローチャートを参照して説明する。
図６に示すように、通信相手（通信端末装置Ｂ）からの呼出信号を受信すると、通信端末装置３０は、第２の実施の形態において説明したユーザによる通話応答操作または応答保留操作に基づく着信音制御動作を開始する（Ｓ３０１）。
【００３８】
制御部３５０は、着信音声データの音声出力レベルを順次低下させるとともに、通信インターフェース部１１０を介して通信相手（通信端末装置Ｂ）へ着信音声データを送信すると、スピーカ２３１から出力されている着信音の再生レベルが所定の値であるか否かを判定する（Ｓ３０２）。
【００３９】
着信音の再生レベルが所定の値に達していない場合（Ｓ３０２で「NO」）、制御部３５０は引き続き再生レベルの判定を実行する。
一方、着信音の再生レベルが所定の値となった場合（Ｓ３０２で「YES」）、通信インターフェース部１１０を介して通信相手（通信端末装置Ｂ）へ送信するデータを、着信音声データから送話部３６０によって生成される送話データへ切り替える（Ｓ３０３）。
【００４０】
ここで、図７を参照して通信端末装置３０の着信音制御動作についてさらに詳しく説明する。図７は、通信相手（通信端末装置Ｂ）で聴取される音声および通信装置３０から送信されるデータの遷移を概念的に示す図である。
【００４１】
図７に示す区間（ａ）〜（ｂ）、すなわち、通信端末装置Ｂからの発信により通信端末装置３０が呼出信号を受信している間、通信端末装置ＢはＲＢＴを聴取する。この呼出音の聴取区間において、通信端末装置３０は、通信端末装置Ｂからの呼出信号に基づいて着信音鳴動による着信通知を実行する。
【００４２】
図７に示す区間（ｂ）〜（ｃ）、すなわち、通信端末装置３０によって通信端末装置Ｂからの呼出信号に対して応答動作の後に着信音鳴動のフェードアウトを実行している間、通信端末装置Ｂは、通信端末装置３０によって再生されている着信音を聴取する。この着信音の聴取区間において、通信端末装置３０は、通信端末装置Ｂに対して送信するデータを着信音として再生されている着信音声データとするとともに、この着信音声データの音声出力レベルを順次下げ、着信音鳴動をフェードアウトさせる。
【００４３】
通信端末装置３０による着信音鳴動のフェードアウトが完了すると（図７で（ｃ）点）、通信端末装置Ｂは、通信端末装置３０からの送話音を聴取する。この送話音の聴取区間において、通信端末装置３０は、着信音の再生レベルが所定値となった時、すなわち、着信音鳴動が終了した時に通信端末装置Ｂへ送信するデータを着信音声データから送話データへ切り替え、通信端末装置Ｂとの双方向の音声通信を開始する。
【００４４】
なお、本実施の形態にかかる通信端末装置３０は、図８に示すような、着信音の再生レベルの変動に応じて通信相手である通信端末装置Ｂに対して送信する送話データの音声出力レベルを制御することとしても良い。
【００４５】
具体的に説明すると、図８に示す通信端末装置３０によって通信端末装置Ｂからの呼出信号に対して応答動作の後に着信音鳴動のフェードアウトを実行している区間（図８の（ｂ）〜（ｃ））、通信端末装置Ｂは、通信端末装置３０によって再生されている着信音とこの着信音の再生レベルに対応して設定された音声出力レベルを有する通信端末装置３０からの送話データの双方を聴取する。
すなわち、図８に示す区間（ｂ）〜（ｃ）において、通信端末装置Ｂは、通信端末装置３０によって呼出信号に対する応答動作がなされた直後の着信音の再生レベルから徐々に着信音の再生レベルを小さくしてフェードアウトが完了する着信音と、相反する音声出力レベルを有する通信端末装置３０からの送話音との双方を聴取する。
【００４６】
このように、着信音の再生レベルに基づいて通信相手へ送信する音声データを切り替えることにより、受信者側のみならず発信者側に対しても、会話開始への自然な移行を促すことができ、より快適なコミュニケーションを図ることを可能とする。
【産業上の利用可能性】
【００４７】
携帯電話機、ＰＨＳ(Personal Handyphone System)、ＰＤＡ(Personal Data Assistance，Personal Digital Assistants：個人向け携帯型情報通信機器)といった携帯型通信端末装置や、家庭用の固定電話機やＰＢＸおよびボタン電話装置に収容される電話端末装置といった固定通信端末装置の着信音声制御機能に利用できる。
【符号の説明】
【００４８】
１０，２０，３０…通信端末装置、１１０…通信インターフェース部、１２０，２２０…ユーザインターフェース部、２２１…操作キー、１３０，２３０…音声再生部、２３１…スピーカ、１４０…メモリ部、３６０…受話部、３６１…マイク、Ａ…通信ネットワーク、Ｂ…通信端末装置（発信側）。
【図１】
2011082853.tif 000003
【図２】
2011082853.tif 000004
【図３】
2011082853.tif 000005
【図４】
2011082853.tif 000006
【図５】
2011082853.tif 000007
【図６】
2011082853.tif 000008
【図７】
2011082853.tif 000009
【図８】
2011082853.tif 000010